(57)【特許請求の範囲】
【請求項１】
略四角形のＴＦＴ液晶部と、これを駆動する制御回路及びインターフェース回路を搭載するとともに、前記ＴＦＴ液晶部の互いに隣り合う二 辺に隣接して設けられたゲート基板及びソース基板とを夫々備えた液晶モジュールの構造において、前記インターフェース回路を搭載する前記ゲート基板及びソース基板とは独立した小基板からなるＩ／Ｆ制御基板と、固定フレームに捩子止めすることによって固定された固定金具とを備え、前記Ｉ／Ｆ制御基板は、当該基板端面に設けたスルーホールと、前記固定金具に設けたバネとを接触させてグランド電位の接続がなされていることを特徴とする液晶モジュールの構造。
【請求項２】
請求項１記載の液晶モジュールの構造において、前記Ｉ／Ｆ制御基板と前記ソース基板との接続のためのＦＰＣを前記ＴＦＴ液晶部の前記隣り合う辺の為す角部に配置したことを特徴とする液晶モジュールの構造。
【請求項３】
請求項１又は２記載の液晶モジュールの構造において、前記Ｉ／Ｆ制御基板は、前記固定金具に両面接着テープで固定されていることを特徴とする液晶モジュールの構造。
【発明の詳細な説明】
【０００１】
【発明の属する技術分野】
本発明は、ノートブック型パーソナルコンピュータ（以下、ノートＰＣと呼ぶ）用液晶モジュールの構造に関するものである。
【０００２】
【従来の技術】
従来、ノートＰＣのディスプレイ装置等には、薄膜トランジスタ（ＴＦＴ）液晶部と、これを駆動する制御回路及びインターフェース回路等を備えたゲート基板と、ソース基板とを備えた液晶モジュールが用いられている。
【０００３】
図７は従来の液晶モジュールの一般的な駆動回路の構成を示すブロック図である。
【０００４】
図７に示すように、従来のノートＰＣ用液晶ディスプレイの駆動回路１００は、入力信号を受け取る入力コネクタ１０１と、この入力コネクタ１０１の出力側に接続されたＤＣ／ＤＣコンバータ１０２及びインターフェースレシーバ１０３と、ＤＣ／ＤＣコンバータ１０２の出力側に接続された階調電圧生成回路１０４と、インターフェースレシーバＩＣ１０３の出力側に接続されたタイミングコントローラ１０５と、ＤＣ／ＤＣコンバータ１０２及びタイミングコントローラ１０５の出力側に接続されたゲート側ドライバＩＣ１０６と、階調電圧生成回路１０４及びタイミングコントローラ１０５の出力側に接続されたソース側ドライバＩＣ１０７とを備えている。
【０００５】
図７に示すように、液晶モジュールの駆動回路１００を構築するに当たり、従来においては、インターフェースレシーバーＩＣ１０３や、タイミングコントローラＩＣ１０５を、薄膜トランジスタ液晶ディスプレイ（ＴＦＴ−ＬＣＤ）のソース基板（ＩＩ側基板、水平側基板）１１１か、又は、ゲート基板（Ｖ側基板、垂直側基板）１１２に、液晶ディスプレイ装置の駆動方式に応じて実装する方策が採られていた。
【０００６】
図８は従来の液晶ディスプレイ装置の一例の要部を示す斜視図である。また、図９は図８の液晶ディスプレイ装置の要部の分解組立斜視図である。
【０００７】
図８に示す液晶ディスプレイ装置１２０は、ソース基板１１１側にタイミングコントローラＩＣ１０５及びインターフェースレシーバＩＣ１０３を搭載した例を示している。この図８に示す構造は、比較的簡単な構造であるという事と、構成するプリント基板が少なくてすむという利点を有する。
【０００８】
具体的には、図９に示すように、液晶ディスプレイ装置１２０は、枠状の金属フレーム１２１と、バックライトモジュール１２２との間に液晶モジュール１１０を挟み込んで構成されている。液晶モジュール１１０は、長方形の薄膜トランジスタ（ＴＦＴ）液晶部をなすディスプレイ本体１０８の一長辺側から延在して折り曲げ可能に設けられたソース側駆動用のソース基板１１１と、一短辺側に設けられたゲート側駆動用のゲート基板１１２とを備えている。ソース基板１１１上には、ソース側ドライバＩＣ１０７が設けられ、更に外側一端寄りに、入力インターフェース接続用のフレキシブル配線ケーブル又は基板（ＦＰＣ）１１３が設けられている。一方、ゲート基板１１２には、図示しないゲート側駆動用のゲート側ドライバＩＣが設けられている。
【０００９】
図１０は従来の液晶ディスプレイ装置の他の例の要部を示す斜視図である。また、図１１は図１０の液晶ディスプレイ装置の要部の分解組立斜視図である。
【００１０】
図１０に示す液晶ディスプレイ装置１２０’は、ゲート基板１１２側に、入力コネクタ１０１、タイミングコントローラＩＣ１０５及びインターフェースレシーバＩＣ１０３を搭載した例を示している。この図１０においては、ＦＰＣ１１３の部分が小さくなり、比較的簡単な構造であるという事と、構成するプリント基板が少なくてすむという利点を有する。
【００１１】
具体的には、図１１に示すように、液晶ディスプレイ装置１２０’は、枠状の金属フレーム１２１と、バックライトモジュール１２２との間に液晶モジュール１１０を挟み込んで構成されている。液晶モジュール１１０は、長方形の薄膜トランジスタ液晶部のディスプレイ本体１０８の一長辺側から延在して折り曲げ可能に設けられたソース基板１１１と、一短辺側に設けられたゲート基板１１２とを備えている。ソース基板１１１上には、ソース側ドライバＩＣ１０７が設けられ、更に外側一端寄りに、フレキシブル配線ケーブル又は基板（ＦＰＣ）１１３が設けられている。一方、ゲート基板１１２には、タイミングコントローラＩＣ１０５、図示しないインターフェース用ＩＣの他に、これも図示しないゲート側ドライバＩＣが設けられている。
【００１２】
【発明が解決しようとする課題】
しかしながら、上記液晶モジュール１１０の構造は、インターフェースレシーバーＩＣ１０３や、タイミングコントローラＩＣ１０５を、図８及び図９に示すように、ソース基板１１１側に実装した場合、そのＩＣ及び付随する構成部品の実装厚みにより、液晶モジュール自体の厚みが厚くなってしまうという欠点を有している。
【００１３】
また、図８及び９に示すように、ノートＰＣ用液晶ディスプレイ装置にとって、モジュール厚さが、厚くなるということは、著しく商品価値を落とす問題である。
【００１４】
また、インターフェースレシーバＩＣ１０３や、タイミングコントローラＩＣ１０５を、図１０及び図１１に示すように、ゲート基板１１２側に実装した場合、周波数の高い信号をＦＰＣ１１３等を介しソース基板に伝送する必要がある。
【００１５】
周波数の高い信号をＦＰＣ１１３等を介し比較的長い伝送を行う場合、ＥＭＩノイズによる性能悪化が問題となる。この性能悪化を防止するために、ノイズ対策部品の増加によるコストアップ、または、部品増加による基板面積拡大で液晶の外枠、いわゆる額縁が大きくなるという問題がある。
【００１６】
特に、図１０及び図１１に示すノートＰＣ用液晶ディスプレイ装置にとって、モジュール１２０’の額縁が大きくなるということは、著しく商品価値を落とすという問題がある。
【００１７】
そこで、本発明の技術的課題は、ノートＰＣ用液晶ディスプレイ装置に求められる薄型、狭額縁、ＥＭＩ対策、様々なインターフェースに対応すること、等を可能にしたノートＰＣ用の液晶モジュール構造を提供することにある。
【００１８】
【課題を解決するための手段】
本発明によれば、略四角形のＴＦＴ液晶部と、これを駆動する制御回路及びインターフェース回路を搭載するとともに、前記ＴＦＴ液晶部の互いに隣り合う二 辺に隣接して設けられたゲート基板及びソース基板とを夫々備えた液晶モジュールの構造において、前記インターフェース回路を搭載する前記ゲート基板及びソース基板とは独立した小基板からなるＩ／Ｆ制御基板と、固定フレームに捩子止めすることによって固定された固定金具とを備え、前記Ｉ／Ｆ制御基板は、当該基板端面に設けたスルーホールと、前記固定金具に設けたバネとを接触させてグランド電位の接続がなされていることを特徴とする液晶モジュールの構造が得られる。
【００１９】
また、本発明によれば、前記液晶モジュールの構造において、前記Ｉ／Ｆ制御基板と前記ソース基板との接続のためのＦＰＣを前記ＴＦＴ液晶部の前記隣り合う辺の為す角部に配置したことを特徴とする液晶モジュールの構造が得られる。
【００２０】
さらに、本発明によれば、前記液晶モジュールの構造において、前記Ｉ／Ｆ制御基板は、前記固定金具に両面接着テープで固定されていることを特徴とする液晶モジュールの構造が得られる。
【００２１】
【発明の実施の形態】
以下、本発明の実施の形態について図面を用いて説明する。
【００２２】
図１は、本発明の実施の形態による液晶ディスプレイ装置の液晶モジュールをを裏面側（液晶表示面と反対側）から眺めた斜視図である。図２は図１の液晶ディスプレイ装置の分解組立斜視図である。
【００２３】
図１及び図２に示すように、液晶ディスプレイ装置１０は、枠状の金属フレーム２１と、バックライトモジュール２２との間に液晶モジュール２０を挟み込んで構成されている。液晶モジュール２０は、長方形の薄膜トランジスタ（ＴＦＴ）液晶部をなすディスプレイ本体１８の一長辺側から延在して折り曲げ可能に設けられたソース基板１１と、一短辺側に設けられたゲート基板１２とを備えている。ソース基板１１上には、ソースドライバＩＣ７が設けられ、更に外側一端寄りに、フレキシブル配線ケーブル又は基板（ＦＰＣ）１３が設けられ、インターフェース（Ｉ／Ｆ）制御基板１に接続されている。一方、ゲート基板１２には、図示しないゲートドライバＩＣ、ＤＣ／ＤＣコンバータ、及び階調電圧生成回路が設けられている。
【００２４】
図３は図１のゲート側部分を拡大した正面図である。図３を参照すると、ゲート基板１２には、Ｉ／Ｆ制御基板１が両端を取り付け金具を介して捩子１４，１５によって、着脱可能に固定されている。Ｉ／Ｆ制御基板１には、入力コネクタ２と、インターフエースレシーバＩＣ３と、タイミングコントローラＩＣ５が実装され、さらに、ゲート接続コネクタ６が搭載されている。このゲート接続コネクタ６には、ゲート基板１２からのゲート接続ＦＰＣ４が接続されている。
【００２５】
これにより、周波数が高い信号が処理される回路が、Ｉ／Ｆ制御基板１に集約されている事がわかる。
【００２６】
従って、Ｉ／Ｆ制御基板１によって、ソース基板１１には、インターフェースレシーバＩＣ及びタイミングコントローラＩＣ等の回路部品の実装は無く、ソース側ドライバＩＣ７とそれへの接続配線であるＦＰＣ１３だけとなる。このＦＰＣ１３には、周波数の高い信号が伝送されるが、液晶部１８の角部に形成され、かつソース基板１１の短辺側に接続されているために、配線長を短くすることができ、電磁干渉による放射ノイズ等の障害の発生を抑制することができる。
【００２７】
更に、このＦＰＣ１３において、ＴＦＴ液晶部に対して内側を電源パターン１３ａとし、外側を信号パターン１３ｂとすることで、高周波信号の伝送路を短くして、さらに、ＥＭＩノイズ等の発生を防止することができる。
【００２８】
また、このＩ／Ｆ制御基板１によって、ゲート基板１２には、図７のところで説明したＤＣ／ＤＣコンバータ１０２と、階調電圧生成回路１０４と、ゲートドライバＩＣ１０６への接続配線となる。
【００２９】
従って、液晶ディスプレイ装置への駆動方式の相異による液晶ディスプレイ本体１８への入力信号形態が異なる場合についても、Ｉ／Ｆ制御基板１のみを入力信号形態に対応して変更して搭載する事により、他のゲート基板１２やソース基板等の他の構成部品を変更せずに対応できる事がわかる。
【００３０】
図４は、入力信号形態が異なることによって、Ｉ／Ｆ制御基板１の種類を変更する例を示す図である。図４に示すように、インターフェース仕様が異なる場合においては、外部からＩ／Ｆ制御基板を交換することによって、各種のＩ／Ｆ信号と接続することができる。
【００３１】
例えば、Ｒ・Ｇ・Ｂ画像データ信号と同期信号とがシリアルであるＬＶＤＳ（Low  Voltage  Differential  Signaling）方式の場合においては、ＬＶＤＳレシーバー３９又は３９’及び制御ＩＣ３６を搭載したＬＶＤＳ入力制御基板３４又は３５を搭載し、パネルリンク  (Panel  Link（登録商標）)方式の場合においては、パネルリンクレシーバー３８及び制御ＩＣ３６を搭載したパネルリンク制御基板３２を搭載し、ＧＶＩＦ(Gigabit  Video  Interface)方式の場合においては、ＧＶＩＦレシーバー３７及び制御ＩＣ３６を搭載したＧＶＩＦ入力制御基板を夫々用いることができる。
【００３２】
一方、Ｒ・Ｇ・Ｂ画像データ信号と同期信号とがパラレルであるパラレル方式の場合においては、制御ＩＣ３６を搭載したパラレル入力制御基板３３を用いることができる。
【００３３】
図５は、図３のＩ／Ｆ制御基板１と固定金具の電気的接続の構造を示す図であり、（ａ）はＩ／Ｆ制御基板の正面図、（ｂ）は（ａ）のＡ部分の部分拡大図，（ｃ）は（ｂ）のＶｃ−Ｖｃ断面図である。
【００３４】
図５（ｂ）及び（ｃ）に示すように、固定金具２３は、金属フレーム２１にネジ１４，１５を介して固定される。この固定金具２３に設けられたバネ部２４とＩ／Ｆ制御基板１に設けられた端面スルーホール２５が接触し、電気的接続がとれる事がわかる。なお、Ｉ／Ｆ制御基板１と固定金具２３の固定方法は、両面粘着テープでの固定を用いることができる。このスルホール２５とバネ部２４とが接触することによって、Ｉ／Ｆ制御基板１とグランド電位を金属フレーム２１に接続させている。
【００３５】
図６は図１乃至図４の液晶モジュールのブロック図である。図６を参照すると、本発明の実施の形態による液晶モジュールは、Ｉ／Ｆ制御基板１と、ゲート基板１２とソース基板１１とを備えている。ここで、図６において、デジタル信号と記入されているものは、Ｒ・Ｇ・Ｂ画像データ信号又は同期信号であり、デジタル電源と記入されているものは、デジタル信号を取り扱うＩＣに供給される電源信号を示している。
【００３６】
Ｉ／Ｆ制御基板１は、画像信号・電源をモジュール外部から入力するための入力コネクタ２と、シリアル化された画像信号をパラレルに変換するＩ／ＦレシーバＩＣ３と、入力信号を液晶表示するために信号タイミングをコントロールするタイミングコントローラＩＣ５とを備えている。
【００３７】
また、ゲート基板１２は、液晶表示に必要な電源電圧を生成する電源回路であるＤＣ／ＤＣコンバータ４１と、画像の明暗（白黒）のレベルを決定する電圧を生成する階調電圧生成回路４２と、ＴＦＴ液晶部を駆動するｎ個のゲートドライバＩＣ４３とを備えている。
【００３８】
また、ソース基板１１は、ＴＦＴ液晶部を駆動するｍ個のソースドライバＩＣ７を備えている。
【００３９】
Ｉ／Ｆ制御基板１において、入力信号は、入力コネクタ２を介して、デジタル信号４４、デジタル電源信号４５、及びアナログ信号４８に夫々分かれる。デジタル信号４４及びデジタル電源信号４５は、Ｉ／ＦレシーバＩＣに入力し、デジタル信号４６及びデジタル電源信号としてタイミングコントローラＩＣ５に入力する。タイミングコントローラＩＣ５は、高速のデジタル信号５２、デジタル電源信号５３、及び低速のデジタル信号５５を出力する。
【００４０】
ゲート基板１２においては、入力コネクタ２からのアナログ電源信号４８は、ＤＣ／ＤＣコンバータ４１を介して、ゲートドライバＩＣ４３に、タイミングコントローラＩＣからの低速デジタル信号５５とともに入力される。
【００４１】
また、ＤＣ／ＤＣコンバータ４１から出力されるアナログ電源信号４９は、階調電圧生成回路４２、ゲートドライバＩＣ４３、及びソースドライバＩＣ７に夫々入力する。階調電圧生成回路４２は、階調電圧５４を出力する。
【００４２】
ソース基板１１においては、ソースドライバＩＣ７は、タイミングコントローラＩＣ５からの高速デジタル信号５２及びデジタル電源信号５３と、階調電圧生成回路４２からの階調電圧５４とを夫々入力する。
【００４３】
このような構成の液晶モジュールにおいて、Ｉ／Ｆ制御基板１は、次のような特長を有している。まず、（ｉ）高速のデジタル信号５２を取り扱うため、配線は極力短い方が良い。また、(ii)入力信号の系体（インターフェース）の違いにより、インターフェースレシーバＩＣを変更する必要がある。
【００４４】
また、ソース基板１２は、次のような特長を有している。(ｉ)高速信号を取り扱うため、配線は短い方が良いが、配線長は画面サイズにより決定される。(ii)パターンは、ドライバＩＣが変わらなければ変更がない。
【００４５】
さらに、ゲート基板１１は次の特長を有している。
【００４６】
まず、(ｉ)アナログ系と、低速の信号を取り扱う。(ii)ＤＣ／ＤＣコンバータ回路４１と、階調電圧生成回路４２は、ソース及びゲートのドライバＩＣが変わらないかぎり、変更不要である。
【００４７】
従って，本発明の実施の形態においては、Ｉ／Ｆ制御基板１を独立して小さな基板とし、Ｉ／Ｆの違いにより、このＩ／Ｆ制御基板だけを開発することが極めて有効であることが分かる。
【００４８】
【発明の効果】
以上説明したように、本発明により、インターフェースレシーバＩＣやタイミングコントローラＩＣを、Ｉ／Ｆ制御基板に集約して実装し、その小基板を液晶モジュールの額縁部分に配置する事により、液晶モジュール自体の厚みを厚くする事無く、モジュール化を実現できる液晶モジュールの構造を提供することができる。
【００４９】
また、本発明においては、インターフェースレシーバＩＣや、タイミングコントローラＩＣを、入力コネクタ近傍にＩ／Ｆ制御基板上で集約して実装出来る事で、周波数の高い信号の伝送を最短で伝送出来るため、ノイズ対策部品を、増加させる事無くモジュール化を実現できる液晶モジュールの構造を提供することができる。
【００５０】
更に、本発明においては、インターフェースレシーバＩＣや、タイミングコントローラＩＣを、入力コネクタ近傍にＩ／Ｆ制御基板上で集約して実装するので、インターフェース形態が違う入力形式に対しても、この１／Ｆ制御基板のみを変吏することにより対応可能となり、開発費を圧縮する事ができる液晶モジュールの構造を提供することができる。
【００５１】
また、本発明によれば、入力コネクタへの挿抜応力対策してＩ／Ｆ制御基板を固定する金具を有しているので、その金具とＩ／Ｆ制御基板と、金属フレームを電気的に導通させる事により、リターンパスを強化して、ＥＭＩ対策を行うことができる液晶モジュールの構造を提供することができる。
【図面の簡単な説明】
【図１】本発明の実施の形態による液晶ディスプレイ装置の液晶モジュールを裏面側（液晶表示面と反対側）から眺めた斜視図である。
【図２】図１の液晶ディスプレイ装置の分解組立斜視図である。
【図３】図１のゲート側部分を拡大した正面図である。
【図４】入力信号形態が異なることによって、Ｉ／Ｆ制御基板１の種類を変更する例を示す図である。
【図５】図３のＩ／Ｆ制御基板１と固定金具の電気的接続の構造を示す図であり、（ａ）はＩ／Ｆ制御基板の正面図、（ｂ）は（ａ）のＡ部分の部分拡大図，（ｃ）は（ｂ）のＶｃ−Ｖｃ断面図である。
【図６】図１乃至図４の液晶モジュールのブロック図である。
【図７】従来の液晶モジュールの一般的な駆動回路の構成を示すブロック図である。
【図８】従来の液晶ディスプレイ装置の一例の要部を示す斜視図である。
【図９】図８の液晶ディスプレイ装置の要部の分解組立斜視図である。
【図１０】従来の液晶ディスプレイ装置の他の例の要部を示す斜視図である。
【図１１】図１０の液晶ディスプレイ装置の要部の分解組立斜視図である。
【符号の説明】
１    Ｉ／Ｆ制御基板
２    入力コネクタ
３    インターフエースレシーバＩＣ
４    ゲート接続
５    タイミングコントローラＩＣ
６    ゲート接続コネクタ
７    ソースドライバＩＣ
１０    液晶ディスプレイ装置
１１    ソース基板
１２    ゲート基板
１３    ＦＰＣ
１４，１５    捩子
１８    ディスプレイ本体
２０    液晶モジュール
２１    金属フレーム
２２    バックライトモジュール
２３    固定金具
２４    バネ部
２５    端面スルーホール
３２    パラレルリンク制御基板
３３    パラレル入力制御基板
３４，３５    ＬＶＤＳ入力制御基板
３６    制御ＩＣ
３７    ＧＶＩＦレシーバ
３８    パラレルリンクレシーバ
３９，３９‘    ＬＶＤＳレシーバ
４１    ＤＣ／ＤＣコンバータ
４２    階調電圧生成回路
４３    ゲートドライバＩＣ
１００    駆動回路
１０１    入力コネクタ
１０２    ＤＣ／ＤＣコンバータ
１０３    インターフェースレシーバＩＣ
１０４    階調電圧生成回路
１０５    タイミングコントローラＩＣ
１０６    ゲート側ドライバＩＣ
１０７    ソース側ドライバＩＣ
１０８    ディスプレイ本体
１１０    液晶モジュール
１１１    ソース基板
１１２    ゲート基板
１１３    ＦＰＣ
１２０，１２０´    液晶ディスプレイ装置
１２１    金属フレーム
１２２    バックライトモジュール
【図１】
0003543146.tif 000002
【図２】
0003543146.tif 000003
【図３】
0003543146.tif 000004
【図４】
0003543146.tif 000005
【図５】
0003543146.tif 000006
【図６】
0003543146.tif 000007
【図７】
0003543146.tif 000008
【図８】
0003543146.tif 000009
【図９】
0003543146.tif 000010
【図１０】
0003543146.tif 000011
【図１１】
0003543146.tif 000012